(57)【要約】【課題】トリムプレートの取り外しを容易に行うことができない。【解決手段】  表示面５ａを有する表示装置５が、第一筐体２に形成された第一開口部２３から前記表示面５ａを露出させた状態で前記第一筐体２内に配置された携帯電話１において、  前記第一開口部２３を閉塞して前記表示面５ａを覆うと共に前記第一筐体２に形成された凸部３１と係合する爪部３７を有するトリムプレート２７を備え、  前記第一筐体２は、前記凸部３１と爪部３７の少なくとも一方を露出させる第二開口部１３を有して構成されていることを特徴とする携帯電話１。【選択図】図３
2007318608.tif 000002
【特許請求の範囲】
【請求項１】
表示面を有する表示装置が、筐体に形成された第一開口部から前記表示面を露出させた状態で前記筐体内に配置された表示機器において、
前記第一開口部を閉塞して前記表示面を覆うと共に前記筐体に形成された第一係合部と係合する第二係合部を有するカバー部材を備え、
前記筐体は、前記第一係合部と前記第二係合部の少なくとも一方を露出させる第二開口部を有して構成されていることを特徴とする表示機器。
【請求項２】
前記第二開口部を閉塞する閉塞部材をさらに有する請求項１に記載の表示機器。
【請求項３】
前記閉塞部材は、前記筐体の他の部位を閉塞する部材と共用化されている、ことを特徴とする請求項２に記載の表示機器。
【発明の詳細な説明】
【技術分野】
【０００１】
本発明は、表示装置を有する表示機器に関する。
【背景技術】
【０００２】
従来、筐体と、該筐体に配設されて各種情報を表示する表示装置とを有する携帯電話などの表示機器が知られている。図７は、従来の携帯電話１’の外観図であり、図８は、図７の携帯電話１’の構成の一部である第一筐体２’の分解図であり、図９は図７のａ’―ａ’断面図である。
【０００３】
携帯電話１’の外観図である図７に示されるように、携帯電話１’は、現在の時刻や入力情報などの各種情報の表示を行う液晶パネルなどの表示面５ａ’を有する表示装置５’が配された第一筐体２’と、複数のボタン６’から構成されるキー操作部６１’を有する第二筐体３’とが、回転軸を有するヒンジ部４’を介して互いに相対回転可能に結合されて構成されている。
【０００４】
図８は、第一筐体２’の分解図を示すものであり、同図に示されるように、第一筐体２’は、幅方向（図８における紙面左右方向）の両側部に側壁部２６’が取り付けられたフロントケース２１’と、リアケース２２’とが第一筐体２’の厚さ方向（図８における紙面上下方向）に螺合結合されており、全体として略矩形状に形成されて構成される。
【０００５】
フロントケース２１’には、その表面２５’に開口部２３’が形成されており、表示面５ａ’を有する表示装置５’が、この開口部２３’から表示面５ａ’が露出するよう第一筐体２’内に配置されて構成される。また、フロントケース２１’の開口部２３’の周縁には、表面２５’に対して厚さ方向第一筐体２’内側に一段凹んだ凹部２４’が形成されており、この凹部２４’は、トリムプレート２７’（カバー部材）が挿入されて取り付けられるよう構成されている。そして凹部２４’にトリムプレート２７’が挿入されて取り付けられると、開口部２３’および開口部２３’から表示面５ａ’が露出するよう第一筐体２’内に配置された表示装置５’の表示面５ａ’は、このトリムプレート２７’により覆われることとなる。
【０００６】
また、図７のａ’―ａ’断面図である図９に示されるように、トリムプレート２７’と凹部２４’の底面２４ａ’との間には、両面テープ２８’が配されており、この両面テープ２８’の粘着力により、トリムプレート２７’は凹部２４’に取り付けられて固定される（特許文献１参照）。
【特許文献１】特開２００４−２３６１８１号公報
【発明の開示】
【発明が解決しようとする課題】
【０００７】
しかし、この特許文献１に記載の携帯電話１’は、トリムプレート２７’のフロントケース２１’に対する固定を、第一筐体２’外部から解除するための構造を有していない。そのため、何らかの原因によりトリムプレート２７’に傷や破損が生じてしまい、トリムプレート２７’をフロントケース２１’から取り外して新しいものと交換する必要がある場合においては、第一筐体２’をフロントケース２１’とリアケース２２’とに一度分解し、その上でトリムプレート２７’に対して両面テープの粘着力に抗する方向に開口部２３’を介して押圧し、両面テープ２８によるトリムプレート２７’のフロントケース２１’に対する固定を解除して、トリムプレート２７’をフロントケース２１’から取り外すほかなく、その取り外しが容易ではない、という課題があった。
【０００８】
そこで本発明は、トリムプレート等のカバー部材の取り外しを容易に行える表示機器を提供することを目的とする。
【課題を解決するための手段】
【０００９】
本発明の表示機器は、表示面を有する表示装置が、筐体に形成された第一開口部から前記表示面を露出させた状態で前記筐体内に配置された表示機器において、前記第一開口部を閉塞して前記表示面を覆うと共に前記筐体に形成された第一係合部と係合する第二係合部を有するカバー部材を備え、前記筐体は、前記第一係合部と前記第二係合部の少なくとも一方を露出させる第二開口部を有して構成されていることを特徴とする。
【００１０】
好適には、前記第二開口部を閉塞する閉塞部材をさらに有することを特徴とする。
【００１１】
好適には、前記閉塞部材は、前記筐体の他の部位を閉塞する部材と共用化されている、ことを特徴とする請求項２に記載の表示器機。
【発明の効果】
【００１２】
本発明によれば、トリムプレート等のカバー部材を筐体から容易に取り外すことができる。
【発明を実施するための最良の形態】
【００１３】
本発明の実施形態に係る表示機器について、図１乃至図６を用いて説明する。図１は表示機器の一例である携帯電話１の外観斜視図であり、図２は、図１の携帯電話１の一構成である第一筐体２の詳細図であり、図３および図４は、図２（ｂ）における断面図α領域における拡大図である。また、図５は、トリムプレート２７を手で取り外した場合の例を図示した外観図であり、図６（ａ）は、キャップ部材３３の外観斜視図であり、図６（ｂ）は、第二開口部１３が、キャップ部材３３により閉塞された状態を上述の断面図α領域において示した図である。
【００１４】
携帯電話１は、図１に示されるように、表示面５ａを有する表示装置５、第一キー操作部４１、アンテナ７、受話用スピーカー８、トリムプレート２７（カバー部材）を有して構成される矩形状の第一筐体２（筐体）と、第二キー操作部６１および送話用マイク９を有して構成される矩形状の第二筐体３とを有して構成されており、両筐体２、３は、第一筐体２が第二筐体３に対して第二キー操作部６１が露出するように一部重なり合う開状態と、図示はしないが、第一筐体２が第二筐体３に対して第二キー操作部６１が第一筐体２によって覆われるように重なり合う閉状態との間を相対的にスライド移動可能に連結構成されている。
【００１５】
第一キー操作部４１は、携帯電話１の入力手段であり、例えばテンキー等の複数のボタン４を有して構成され、ユーザーはこれら複数のボタン４を操作することによって各種入力操作を行うことができる。表示装置５は、例えば液晶パネル等であり、表示面５ａに現在の時刻や入力情報などの各種情報の表示を行うことができる。アンテナ７は、従来から周知のアンテナであり、所定の周波数帯域における電話や文字メッセージ等の通信に係る情報の電磁波を送受信可能に構成される。受話用スピーカー８は、電話に係る通信相手の音声を出力するスピーカーである。
【００１６】
第二キー操作部６１は、第一キー操作部４１同様、携帯電話１の入力手段であり、例えばテンキー等の複数のボタン６を有して構成され、ユーザーはこれら複数のボタン６を操作することによって各種入力操作を行うことができる。送話用マイク９は、電話におけるユーザーの音声等を入力するためのマイクである。
【００１７】
以下、第一筐体２についてさらに詳細に説明する。図２（ｂ）に示されるように、第一筐体２は、フロントケース２１とリアケース２２とを有して構成され、これらフロントケース２１とリアケース２２とは、リアケース２２の端部に形成された第二開口部１３を介して挿通されたネジ１１が、フロントケース２１に形成されたがネジ孔１２に対してネジ止めされることにより、第一筐体２の厚さ方向（図２（ｂ）における紙面左右方向）に互いに螺合結合されて構成されており、全体として略矩形状に形成されている。
【００１８】
フロントケース２１には、第一開口部２３が形成されており、表示面５ａを有する表示装置５が、この開口部２３から表示面５ａが露出するように第一筐体２内に配置される基板３０上に配置されている。また、フロントケース２１の表面２５の上には両面テープ２８が貼り付けられており、トリムプレート２７（カバー部材）が、この両面テープ２８上に貼り付けられて固定されている。この取り付けられたトリムプレート２７により、フロントケース２１に形成された開口部２３は閉塞され、表示面５ａもそれに伴い、トリムプレート２７に覆われて保護されている。
【００１９】
なお、トリムプレート２７には、トリムプレート２７がフロントケース２１に取り付けられた状態において、第一キー操作部４１の全ボタン４に対応する位置にボタン孔５ｂが複数形成されているため、第一キー操作部４１は、同状態において外部に露出するよう構成されている。
【００２０】
図３は、図２（ｂ）の断面図におけるα領域の拡大断面図である。本図に示されるように、フロントケース２１の端部３５には、第三開口部３９が形成されており、また、フロントケース２１の側部２６には、第一筐体２の長さ方向（図３における紙面左右方向）での第一筐体２内側に突出する凸部３１（第一係合部）が形成されている。
【００２１】
一方トリムプレート２７は、その端部に、フロントケース２１に取り付けられた状態において、第三開口部３９内に挿通される凸部３６が形成されていると共に、その先端部には同状態においてフロントケース２１の側部２６方向に突出する爪部３７（第二係合部）が形成されている。
【００２２】
このように、フロントケース２１に形成された凸部３１と、トリムプレート２７に形成された爪部３７とは、トリムプレート２７がフロントケース２１に対して取り付けられた状態においては、図３に示されるように互いに係合するよう構成されている。すなわち、トリムプレート２７は、上述した両面テープ２８によるフロントケース２１への固定のみならず、凸部３１と爪部３７との係合によりフロントケース２１に対して固定され、第一筐体２の外部からは容易には取り外せない構成となっている。
【００２３】
また、上述したように、リアケース２２の端部にはフロントケース２１とリアケース２２とを螺合結合せしめるネジ１１が挿通される第二開口部１３が形成されているが、当該第二開口部１３は、フロントケース２１に形成された第三開口部３９と互いに連通されて構成されている。
【００２４】
すなわち、この第二開口部１３と第三開口部３９との連通構造により、トリムプレート２７がフロントケース２１に取り付けられた状態においては、フロントケース２１に形成された凸部３１およびトリムプレート２７に形成された凸部３６、特に凸部３６の先端部に形成された爪部３７は、第二開口部１３から露出することとなる。つまり、凸部３１と爪部３７とが互いに係合している部位は、第二開口部１３から露出することとなる。
【００２５】
トリムプレート２７は、この露出構造を利用して、フロントケース２１から取り外し可能に構成されている。以下図４および図５に基づいて本取り外し構造について詳細について説明する。なお、トリムプレート２７は、上述したように、フロントケース２１に対して両面テープ２８によって固定されていると共に、凸部３１と爪部３７との係合によっても固定されて構成されるため、トリムプレート２７をフロントケース２１から取り外すためには、この両面テープ２８による固定および凸部３１と爪部３７との係合を解除してやる必要がある。
【００２６】
図４（ａ）に示されるように、第二開口部１３は、棒状部材３８が挿通可能に構成され、また、この棒状部材３８は、トリムプレート２７がフロントケース２１に取り付けられた状態において、第二開口部１３を介して第一筐体２外部から第一筐体２内部に入り込み、その後、その先端がトリムプレート２７に形成された爪部３７まで到達することが可能に構成される。
【００２７】
なお、棒状部材３８を確実に爪部３７まで到達させるためには、第一筐体２が、その内部に第二開口部１３に挿入された棒状部材３８を爪部３７まで確実に案内するような部材を有していることが好ましい。本実施形態においては、リアケース２２の第二開口部１３近傍内側に側壁部３４が設けられており、当該側壁部３４に形成された壁面３４ａは、その延長線上に爪部３７が位置するように構成されている。そのため、棒状部材３８は、この側壁部３４の壁面３４ａに沿うように第一筐体２内部に挿入されると、壁面３４ａにより爪部３７の方向に案内され、その結果、その先端が爪部３７に確実に到達することとなる。
【００２８】
凸部３１と爪部３７との係合は、爪部３７が、このように爪部３７までその先端が到達した棒状部材３８により、凸部３１と爪部３７との係合を解除する方向に対して力を与えられることにより、解除されるよう構成されている。この係合を解除する方向というのは、本実施形態においては、第一筐体２の長さ方向（図４（ｂ）における紙面左右方向）の第一筐体２内側方向（図４（ｂ）における矢印Ａ方向）のことである。このような方向の力が棒状部材３８により爪部３７に対して与えられることにより、トリムプレート２７に形成された凸部３６は、弾性変形しながら次第に第一筐体２内側方向に移動し（図４（ｂ）における矢印Ａ方向）、凸部３１と爪部３７との係合は解除される。図４（ｂ）は、このようにして凸部３１と爪部３７との係合が解除された状態を示すものである。
【００２９】
このように、図４（ｂ）の凸部３１と爪部３７との係合が解除された状態になると、トリムプレート２７は、両面テープ２８により第一筐体２に対して固定された状態となる。トリムプレート２７をフロントケース２１から取り外すためには、この両面テープ２８による固定を解除する必要があるが、この両面テープ２８による固定は、同状態における棒状部材３８を、トリムプレート２７に対して第一筐体２外部方向に押圧することにより容易に解除される。そしてこの両面テープ２８によるトリムプレート２７の第一筐体２に対する固定が解除された後は、棒状部材３８をトリムプレート２７に対してさらに第一筐体２外部方向に押圧することにより、トリムプレート２７を第一筐体２に対して浮かせた状態とすることができ、その後は、例えば、手で第一筐体２外部方向（例えば図５における矢印Ｂ）にトリムプレート２７を持ち上げることで、トリムプレート２７を第一筐体２から取り外すことできる。図５は、このように、手でトリムプレート２７を第一筐体２外部方向に持ち上げてフロントケース２１から取り外した様子を図示したものである。
【００３０】
なお、第二開口部１３は、防水・防塵防止の観点から、閉塞されていることが好ましい。そこで、本実施形態の携帯電話１においては、第二開口部１３がキャップ部材３３（閉塞部材）により閉塞可能に構成されるようにした。この様子を示すのが図６（ａ）および図６（ｂ）である。図６（ａ）は、キャップ部材３３の外観斜視図であり、図６（ｂ）は、第二開口部１３が、キャップ部材３３により閉塞された状態を示す図である。
【００３１】
図６（ａ）に示されるように、キャップ部材３３は、全体がくさび形状に形成されたゴム材であり、平面板形状の上面３３ｂおよび下面３３ｃを有する平面板３３ａと、くさび形状のくさび３３ｄとで構成されている。この平面板３３ａの上面３３ｂは、リアケース２２の表面２２ａと同系色の色で装飾されている。また、図示はしていないが、下面３３ｃ上には両面テープが取り付けられている。なお、キャップ部材３３はゴム材でなくとも、例えば樹脂剤等、その他の材料で成形されていてもよい。
【００３２】
そして、このキャップ部材３３は、くさび３３ｄの先端部側から第二開口部１３を介して第一筐体２の内部に挿入可能に構成されており、所定の位置まで挿入されると平面板３３の下面３３ｃ上に取り付けられた両面テープが、側壁部３４の端部、ネジ１１のヘッド部１１ａ、およびリアケース２２の端部それぞれに当接され、結果キャップ部材３３は第一筐体２に固定される。このように、キャップ部材３３が第一筐体２に固定されることにより、第二開口部１３は、閉塞される。
【００３３】
なお、このように第二開口部１３が閉塞されると、それに伴ってネジ１１も閉塞される。すなわち、キャップ部材３３は、ネジ１１を閉塞する部材として共用化されている、ということができる。
【００３４】
そしてこの状態においては、キャップ部材３３の上面３３ｂは、リアケース２２の表面２２ａと略同一平面となるよう構成されている。平面板３３ａの上面３３ｂは、上述したようにリアケース２２の表面２２ａと同系色の色で装飾されているため、この状態において外観上違和感がない。
【００３５】
なお、このようにキャップ部材３３は、両面テープの粘着力により第一筐体２に固定される構成となっているが、この固定された状態においては、第一筐体２とキャップ部材３３との間に、キャップ部材３３を第一筐体２から取り外すために利用するための僅かな隙間を設けることが好ましい。本実施形態においては、フロントケース２１と、キャップ部材３３との間に隙間３７が確保されている。ユーザーは、この隙間３７に、針のような先端の尖った形状を有する針部材の当該先端部を挿入し、その挿入された針部材をキャップ部材３３に対して第一筐体２外部方向に力を与えることにより、キャップ部材３３の上記両面テープによるリアケース２２への固定を解除して、キャップ部材を第一筐体２から用に取り外すことができる。
【００３６】
このように本実施形態における携帯電話１のトリムプレート２７は、第二開口部１３を利用して第一筐体２（フロントケース２１）から容易に取り外すことが可能である。そのため、例えば、落下や衝撃等により破損や傷を受けたトリムプレート２７を新しいものに取り替える必要が生じた場合であっても、容易に新しいトリムプレート２７に取り替えることができる。
【００３７】
また、本実施形態におけるトリムプレート２７は、第一筐体２に対して両面テープ２８によって固定されている上、凸部３１と爪部３７との係合によっても固定される構成となっているため、従来の両面テープのみによる固定に比してトリムプレート２７の第一筐体２に対する固定を強固にすることができる。つまり、携帯電話１の落下衝撃等による、トリムプレート２７の第一筐体２に対する浮き等を好適に抑制することができる。
【００３８】
また、第二開口部１３は、キャップ部材３３により閉塞される構成となっているため、第一筐体２内部に第二開口部１３を介して水や塵が進入することを好適に防ぐことができる。また、キャップ部材３３の上面３３ｂと、リアケース２２の表面２２ａとは、同系色の色で装飾されているため、キャップ部材３３が第二開口部１３を閉塞している状態において、外観上違和感がない。さらに、キャップ部材３３は、ネジ１１を閉塞する部材と共用化されているため、ネジ１１を閉塞するための部材を改めて用意する必要がなく、部品点数の削減を図ることもできる。そして、キャップ部材３３はゴム材で成形されているため、携帯電話１の落下や衝撃等により受けた外力をゴム材の弾性力で吸収することもできるため、第一筐体２の破損を好適に抑制することもできる。
【００３９】
なお、本実施形態は本発明の一例であり、これに限定されず、種々の変更が可能である。例えば、本実施形態においては、第二開口部１３を、フロントケース２１とリアケース２２との螺合結合を担うネジ１１の近傍に設けたが、それ以外の場所であっても、凸部３１と爪部３７の少なくとも一方が露出される位置であればどこでもよい。例えば、本実施形態のようにリアケース２２側に設けるのではなく、フロントケース２１側に設けてもよい。また、例えば、スピーカー孔がフロントケース２１のトリムプレート２７が配された面以外の面に設けられていた場合においては、そのスピーカー孔と略同じ大きさでかつ略同じ形状の開口部を第二開口部１３として、当該スピーカー孔の近傍に設けておけば、第二開口部１３は、一見スピーカー孔として視認されることとなり、第二開口部１３を設けたことによるデザイン上の違和感を低減することができる。
【００４０】
また、本実施形態においては、防水・防塵防止の観点から、第二開口部１３は、キャップ部材３３により閉塞される構成となっていたが、本発明はこの構成に限定されることなく、その他の着脱可能な閉塞部材により閉塞される構成にしてもよい。また、このように閉塞部材により第二開口部１３が閉塞される構成である場合には、閉塞部材がその他の部位を閉塞する部材と共用化されていることが好ましい。
【００４１】
例えば、表示機器が、バッテリーと、バッテリー近傍に設けられた第二開口部１３と、バッテリーと第二開口部１３とを併せて閉塞可能でかつ、着脱可能に構成されるバッテリーカバーとを有していれば、このバッテリーカバーは、第二開口部１３とバッテリーを閉塞する部材として共用化されることとなり、防水・防塵防止の観点から好ましい上、バッテリーを閉塞するための部材を改めて用意する必要がなく、部品点数の削減の観点からも好ましい。
【００４２】
また、本実施形態における携帯電話１は、フロントケース２１とリアケース２２とが、凸部３１と爪部３７との係合により固定されると共に、この係合している部位が第二開口部１３から露出する構成を有していたが、本発明は、これに限定されるものではない。例えば、フロントケース２１とリアケース２２とが、ネジにより螺合結合されると共に、ネジのヘッド部が第二開口部１３から露出されるようにしてもよい。この場合、棒状部材３８をこのネジの螺合結合を解除可能なドライバーとすれば、第二開口部１３を介して第一筐体２の内部に挿入されたこのドライバーで、このフロントケース２１とリアケース２２との螺合結合を解除することができる。
【００４３】
現在、デジタルテレビ放送をはじめとする、映像・画像コンテンツを画面表示させる携帯電話等の表示機器が主流となり、表示装置の表示面サイズが大型化している。しかしそのように表示装置の表示面サイズを大型化させると、必然的にトリムプレート２７も大型化する。そして、トリムプレート２７が大型化すると、今度はそれだけ破損や傷を受ける確率も高くなり、トリムプレート２７を取り替えなければならない場面も多くなるであろう。つまり、本発明のようにトリムプレート２７等のカバー部材を容易に本体から取り外すことのできる発明の意義は、非常に高いといえる。
【図面の簡単な説明】
【００４４】
【図１】表示機器の一例である携帯電話１の外観斜視図
【図２】図１の携帯電話１の一構成である第一筐体２の詳細図
【図３】図２（ｂ）の断面図α領域における拡大図
【図４】図２（ｂ）の断面図α領域における拡大図
【図５】トリムプレート２７を手で取り外した場合の例を図示した外観図である。
【図６】キャップ部材３３の外観斜視図および、図２（ｂ）の断面図α領域において第二開口部１３がキャップ部材３３により閉塞された状態を示す図
【図７】従来の携帯電話１’の外観図
【図８】図７の携帯電話１’の構成の一部である第一筐体２’の分解図
【図９】図７のａ’―ａ’断面図
【符号の説明】
【００４５】
１…携帯電話、２…第一筐体、３…第二筐体、４…ボタン、５…表示装置、６…ボタン、７…アンテナ、８…受話用スピーカー、９…送話用マイク
【図１】
2007318608.tif 000003
【図２】
2007318608.tif 000004
【図３】
2007318608.tif 000005
【図４】
2007318608.tif 000006
【図５】
2007318608.tif 000007
【図６】
2007318608.tif 000008
【図７】
2007318608.tif 000009
【図８】
2007318608.tif 000010
【図９】
2007318608.tif 000011